(57)【特許請求の範囲】
【請求項１】
所定の剛性を有する背本体と、この背本体の前面側に位置する前面材及びこの背本体の後面側に位置する後面材を有し少なくとも前記前面材にクッション性を付与してなる袋状のクッション体とを具備してなるものであり、
このクッション体の下端部に開口部を設けるとともに、この開口部を介して該クッション体を背本体に着脱するようにし、
下端部に着脱のための開口部を有し、背本体及びクッション体を略覆うことのできる袋状の被覆体を設けるとともに、その開口部近傍に保持孔を袋状に縫製して設け、この保持孔内に抜脱可能に線状体を挿入して設け、前記線状体を背本体に設けた係り止め部に係り止めることにより、前記被覆体を、クッション体を装着した背本体に固定できるように構成していることを特徴とする椅子の背。
【請求項２】
所定の剛性を有する背本体と、この背本体に着脱可能に装着されて該背本体を略覆う被覆体とを具備するものであって、
この被覆体を、その下端部に着脱のための開口部を有する袋状のものとするとともに、その開口部近傍に保持孔を袋状に縫製して設け、この保持孔内に抜脱可能にたわみ可能な線状体を挿入して設け、この線状体を背本体に設けた係り止め部に係り止めることにより、前記被覆体を背本体に固定できるようにしていることを特徴とする椅子の背。
【請求項３】
被覆体を背本体に装着した状態で、この被覆体の開口部が椅子を構成する座よりも下方に位置するようにしている請求項１又は２記載の椅子の背。
【請求項４】
係り止め部が、背本体に設けた複数のフック爪である請求項１、２又は３記載の椅子の背。
【請求項５】
線状体が、被覆体の開口部の上縁に沿って左右に延びるように取り付けられている請求項１、２、３又は４記載の椅子の背。
【請求項６】
前記被覆体が布製であるとともに、前記保持孔が布を袋状に縫製して設けたものである請求項１、２、３、４又は５記載の椅子の背。
【発明の詳細な説明】
【０００１】
【発明の属する技術分野】
本発明は、背本体に、クッション体又は／及び被覆体を取付けてなる背に関する。
【０００２】
【従来の技術】
従来、椅子の背にクッション性を付与するために、背本体にクッション材を一体に成形している。また、このように構成したクッション付き背本体に、さらに張り地を取付ける場合には、背本体やクッション材とともに張り地を一体に成形するようにしたものが知られている。
【０００３】
【発明が解決しようとする課題】
ところが、背本体にクッション材や張り地を一体に成形したようなものであると、クッション材に破損やへたりが生じたり、あるいは張り地に汚れ等が生じたりした場合にこれらを取り替えることができず、背ごと、あるいは椅子ごと交換しなければならないうえ、分別廃棄の際に不具合が生じることもある。
【０００４】
そこで、張り地に関して言えば、座本体から脱着できるようにして、クリーニングや交換を可能とし、張り地の汚れや破損、あるいは分別廃棄時に好適に対応できるようにしたものが考えられている。ところが、この張り地を脱着可能とするために、従来のものは、ファスナ等の金具や樹脂成形品等を張り地に縫いこんでいるため、クリーニング時に前記ファスナ等により他の衣類を傷めてしまう場合がある。
【０００５】
【課題を解決するための手段】
そこで、本発明は、背の構成要素たるクッション体や張り地をそれぞれ着脱可能とすることにより、破損等した場合や分別廃棄時に好適に対応でき、しかも、その着脱作業が簡単である椅子の背を提供することを主目的とするとともに、特に、張り地に関しては、クリーニング時における不具合をも解消できるものを提供すべく図ったものである。
【０００６】
【発明の実施の形態】
すなわち、本発明にかかる椅子の背は、所定の剛性を有する背本体と、この背本体の前面側に位置する前面材及びこの背本体の後面側に位置する後面材を有し少なくとも前記前面材にクッション性を付与してなる袋状のクッション体とを具備してなるものであり、このクッション体の下端部に開口部を設けるとともに、この開口部を介して該クッション体を背本体に着脱するようにし、下端部に着脱のための開口部を有し、背本体及びクッション体を略覆うことのできる袋状の被覆体を設けるとともに、その開口部近傍に保持孔を袋状に縫製して設け、この保持孔内に抜脱可能に線状体を挿入して設け、前記線状体を背本体に設けた係り止め部に係り止めることにより、前記被覆体を、クッション体を装着した背本体に固定できるように構成していることを特徴とする。
【０００７】
このようなものであれば、背本体にクッション体を着脱できるので、このクッション体が破損したときやへたったときなどに、椅子ごと交換することなくクッション体のみを交換することができる。そのため、椅子本体との分別廃棄時にも極めて好適なものとなる。さらに、クッション体の下端部に設けた開口部を介して該クッション体を着脱できるので、その作業性を良好にできるだけでなく、背本体に装着したクッション体の開口部を、例えば座より下方に位置させることにより、外観を良好に保つことも容易にできるようになる。また、クッション体を取り外して背本体のみにより背を構成することもできるため、ユーザーの用途に応じた種々の使用態様を提供することができるようになる。
さらに、背本体を覆う張り地等の被覆体を、その下端部に着脱のための開口部を有する袋状のものとするとともに、その開口部近傍に保持孔を袋状に縫製して設け、この保持孔内に抜脱可能に線状体を挿入して設け、この線条体を背本体に設けた係り止め部に係り止めることにより、前記被覆体を背本体に固定できるようにしているので、前記クッション体同様、被覆体が汚れたり破けたりした時に、椅子ごと交換することなく被覆体のみを交換することができ、また、椅子本体との分別廃棄時にも極めて好適なものとなる。さらに、その下端部に設けた開口部を介して該被覆体を着脱できるので、その作業性を良好にできるだけでなく、背本体に装着した被覆体の開口部を、例えば座より下方に位置させることにより、外観を良好に保つことも容易にできるようになる。加えて、被覆体をクリーニングするときには、この被覆体を固定するための線条体を抜き去れば、その被覆体の素材のみとすることができるため、従来のように取付けのための金具や樹脂部材により、他の衣類が傷むといった不具合を回避できる。
【０００８】
また、本発明にかかる椅子の背の他の態様として、所定の剛性を有する背本体と、この背本体に着脱可能に装着されて該背本体を略覆う被覆体とを具備するものであって、この被覆体を、その下端部に着脱のための開口部を有する袋状のものとするとともに、その開口部近傍に保持孔を袋状に縫製して設け、この保持孔内に抜脱可能にたわみ可能な線状体を挿入して設け、この線状体を背本体に設けた係り止め部に係り止めることにより、前記被覆体を背本体に固定できるようにしているものが挙げられる。このようなものであっても、前記クッション体同様、被覆体が汚れたり破けたりした時に、椅子ごと交換することなく被覆体のみを交換することができ、また、椅子本体との分別廃棄時にも極めて好適なものとなる。さらに、その下端部に設けた開口部を介して該被覆体を着脱できるので、その作業性を良好にできるだけでなく、背本体に装着した被覆体の開口部を、例えば座より下方に位置させることにより、外観を良好に保つことも容易にできるようになる。加えて、被覆体をクリーニングするときには、この被覆体を固定するための線条体を抜き去れば、その被覆体の素材のみとすることができるため、従来のように取付けのための金具や樹脂部材により、他の衣類が傷むといった不具合を回避できる。
【０００９】
被覆体の着脱のための開口部を目立たないようにし、なおかつ、線条体の係り止め部に対する係り止めあるいは係り止め解除を円滑にできるようにするための具体的実施態様としては、被覆体を背本体に装着した状態で、この被覆体の開口部が椅子を構成する座よりも下方に位置するようにしたものを挙げることができる。
【００１０】
係り止め部を簡単に構成し、なおかつ被覆体を確実に固定するためには、この係り止め部が、背本体に設けた複数のフック爪であることが望ましい。
被覆体を装着した状態でしわが出にくいようにし、外観を整えるためには、線条体を、開口部の上縁部に沿って左右に延びるように取付けておくことが好ましい。
【００１１】
特に被覆体の取り外しを容易とするには、線条体の少なくとも一端部に、係り止め部に対する係合いを解除するための紐状の解除部材を取付けておくことが好適である。
さらに、前記被覆体が布製であるとともに、前記保持孔が布を袋状に縫製して設けたものであれば、被覆体をクリーニングする際に、この被覆体を固定するための線条体を抜き去れば、布製部分のみとすることができる。
【００１２】
【実施例】
以下、本発明の一実施例を、図１〜図７を参照して説明する。
図１は本実施例に係る椅子１０を示している。この椅子１０は、同図に示すように、例えば脚支柱９１及びこの脚支柱の下端から放射状に延びる脚羽根９２を具備する脚体９と、この脚体９に支持される座２及び背１とを具備するものである。座２は、基体２３とこの基体２３の上端に配置したクッションからなる座本体３を張り地２２で覆ってなるものであり、その裏面中央を脚支柱９１の上端によって旋回可能に支持させている。
【００１３】
しかして、本実施例では、図２〜図５に示すようにこの背１を、背本体３と、袋状のクッション体４と、これら背本体３及びクッション体４を略覆うように取付けられる袋状の被覆体５とを具備するものとし、これらクッション体４及び被覆体５をそれぞれ背本体３に対し取り外し可能に構成している。
詳述すれば、背本体３は、図２、図５、図７等に示すように着座者がもたれたときの負荷を支持し得る剛性を有した樹脂製板状のもので、正面視略矩形状をなして起立する板体部３１と、この板体部３１の前面における下端縁近傍から前方に一体に延びる支持板３２とからなる。板体部３１には、複数の貫通孔３３が設けられており、この貫通孔３３には、例えば着座者の背中に押圧感を与え得る突起部材が抜脱可能に取付けられるように構成してある。支持板３２は、この背本体３を座２に取付けるためのものであり、座２を構成する基体２３の後端部に設けた取付凹部２４に挿入されてねじ等により固定される。したがって、この背本体３を座２に取付けると、この支持板３２は座２のクッションより下方に位置して視認不可能となる。
【００１４】
クッション体４は、厚手のクッション性素材に布４１ａを被せてなる前面材４１と、薄手のクッション性素材に布４２ａを被せてなる後面材４２とを、その周縁部において縫製し、袋状のものとしたものであって、その下端部に設けた開口部４３を介して背本体３に着脱できるようにしている。しかして、前面材４１を構成するクッション性素材には例えばナイロンを用い、後面材４２を構成するクッション性素材には例えばラミネートを用いている。また、前記布４１ａ、４１ｂは、被覆体５の着脱の際の摩擦抵抗を減らすとともに、クッション体４の強度を向上させるためのものである。一方、開口部４３は、前面材４１をその下端縁から上方に向かって矩形状に切り欠いてなるもので、このクッション体４を背本体３に被せた際に、前記支持板３２に干渉しない部位に設けてある。
【００１５】
被覆体５は、張り地として用いられるもので、例えば一枚の布を上下に折って表面布５２と裏面布５３とを形成し、両側縁部を縫製することで袋状にしてある。そして表面布５２の下端部には、支持板３２に対応する部位において、左右に亘る切り込みを設けて開口部５１を形成し、この開口部５１を介して背本体３に取付けたクッション体４に着脱できるようにしてある。
【００１６】
さらに、背本体３及びクッション体４に被せたこの被覆体５は、以下に説明する係り止め構造８を介して、背本体３に固定される。
この係り止め構造８は、被覆体５の開口部５１の上縁５１ａに沿って装着した線条体たるワイヤ６と、背本体３を構成する板体部３１の前面から左右方向に沿って間欠的に突出させた４つのフック爪７とからなる。
【００１７】
詳述すれば、図６、図７等に示すように、ワイヤ６は、所定の剛性を有する金属製のもので、前記開口部５１の上縁５１aの内側において、布を袋状に縫製して設けた左右に貫通するワイヤ保持孔５４に抜脱可能に挿入されている。このワイヤ６の両端には環状部６１がそれぞれ一体に形成されており、これら環状部６１に解除部材たる解除紐Pをそれぞれ取付けている。ワイヤ保持孔５４には、フック爪７に対応する部位にスリット５５が４つ設けてあり、このスリット５５から露出したワイヤ６をフック爪７に掛けられるようにしてある。
【００１８】
一方、フック爪７は、板体部３１の前面から突出する基部７１と、この基部７１の先端から下方に屈曲してその下端を支持板３２の基端部の上面に近接させてなる爪本体７２とからなる。
しかして、この爪本体７２の下端と、支持板３２基端部の上面との離間距離は、ワイヤ６の直径よりも若干小さく設定してあって、このワイヤ６を、フック爪７を弾性変形させつつ爪本体７２の下端と支持板３２の上面との間から嵌め入れて、ワイヤ６をフック爪７に係り止めるようにしている。
【００１９】
このような構成において、背本体３にクッション体４や被覆体５を着脱する方法について以下に説明する。
まず背本体３にクッション体４を取付けるには、図２に示すように、その開口部４３を広げて背本体３に上方から装着する。しかして、図３下図に示すこの装着状態では開口部４３から背本体３の支持板３２が突出することとなる。また、クッション体４は、背本体３に固定されておらず、単に上方から背本体３を略覆うように被さっている状態となっている。
【００２０】
次に、このように背本体３に装着したクッション体４のさらに外方から、図３に示すように、被覆体５を覆い被せる。この場合も、クッション体４同様、被覆体５を、その開口部５１を広げてクッション体４に上方から被せる。なお、被覆体５における開口部５１より下の部分は、クッション体４の下方から回しこんで装着する。この最終装着状態を示すのが図４である。
【００２１】
その後、開口部４３に設けたワイヤ６を、背本体３における支持板３２及び板体部３１の境界部分に設けた４つのフック爪７に係り止める。このことにより、クッション体４が被覆体５により若干押圧された状態となり、この被覆体５がしわなく固定されることとなる。また、同時にクッション体４も被覆体５により固定されることとなる。
【００２２】
なお、このようにクッション体４及び被覆体５を装着した後、支持板３２を座２に取付けてもよいし、支持板３２を座２に取付けた後、背本体３にクッション体４及び被覆体５を装着してもよいが、いずれにせよ、支持板３２を取付けるときには、この支持板３２が座２より下方に位置するため、座２のクッション後端部を若干めくり上げるか押し下げる必要がある。
【００２３】
一方、背本体３からクッション体４及び被覆体５を取り外すには、まずワイヤ６の両端部に設けた解除紐Pを引張り、ワイヤ６とフック爪７の係合いを解除した後、被覆体５、クッション体４を順次上方に引き抜けばよい。
このように構成した本実施例によれば、背本体３にクッション体４及び被覆体５をそれぞれ別個に着脱できるので、このクッション体４や被覆体５が破損したり、汚れたときなどに、椅子１０ごと交換することなくクッション体４あるいは被覆体５のみを交換することができる。また、分別廃棄時にも極めて好適なものとなる。
【００２４】
そして、この構成により、ユーザにクッション体４を取付けて使用する場合と、クッション体４を取付けないで使用する場合との２通りの使用態様を提供できることにもなる。特に本実施例では、クッション体４及び被覆体５を取り外した状態で、背本体３に突起部材を取付け、肩こり等の解消目的で使用することもできる。
【００２５】
さらに、クッション体４及び被覆体５に設けた開口部４３、５１は、装着状態では座２より下方に位置するので、外観を良好に保つこともできる。加えて、ワイヤ６をフック爪７に係り止める際には、座２の後部をめくるか押し下げて、目視しながら作業ができるので、作業性に優れるという効果をも奏する。また、ワイヤ６をフック爪７から取り外す際も、解除紐Pを引っ張ればよいので、その作業も簡単である。
【００２６】
一方、被覆体５を背本体３に取付けるためのワイヤ６が、被覆体５から取り外せるようになっているため、ワイヤ６を抜き去ることによって、被覆体５を素材のみとすることができ、従来のように取付けのための金具や樹脂部材により、他の衣類が傷むといった不具合を回避できる。
なお、本発明は上記実施例に限られるものではない。例えば、クッション体を構成する後面材には、必ずしもクッション性を与えなくともよい。また、クッション体や被覆体の開口部の形状や位置は上記実施例に限られない。
【００２７】
その他各部の具体的な構成は、上述した実施例に限定されるものではなく、
本発明の趣旨を逸脱しない範囲で種々変形が可能である。
【００２８】
【発明の効果】
以上に詳述したように、本発明によれば、背本体にクッション体を着脱できるので、このクッション体が破損したときやへたったときなどに、椅子ごと交換することなくクッション体のみを交換することができる。そのため、椅子本体との分別廃棄時にも極めて好適なものとなる。さらに、クッション体の下端部に設けた開口部を介して該クッション体を着脱できるので、その作業性を良好にできるだけでなく、背本体に装着したクッション体の開口部を、例えば座より下方に位置させることにより、外観を良好に保つことも容易にできるようになる。また、クッション体を取り外して背本体のみにより背を構成することもできるため、ユーザーの用途に応じた種々の使用態様を提供することができるようになる。
【００２９】
また、本発明によれば、背本体を覆う張り地等の被覆体を、その下端部に着脱のための開口部を有する袋状のものとするとともに、その開口部近傍に保持孔を袋状に縫製して設け、この保持孔内に抜脱可能にワイヤを挿入して設け、このワイヤを背本体に設けた係り止め部に係り止めることにより、前記被覆体を背本体に固定できるようにしているので、前記クッション体同様、被覆体が汚れたり破けたりした時に、椅子ごと交換することなく被覆体のみを交換することができ、また、椅子本体との分別廃棄時にも極めて好適なものとなる。さらに、その下端部に設けた開口部を介して該被覆体を着脱できるので、その作業性を良好にできるだけでなく、背本体に装着した被覆体の開口部を、例えば座より下方に位置させることにより、外観を良好に保つことも容易にできるようになる。加えて、被覆体をクリーニングするときには、この被覆体を固定するためのワイヤを抜き去れば、その被覆体の素材のみとすることができるため、従来のように取付けのための金具や樹脂部材により、他の衣類が傷むといった不具合を回避できる。
【００３０】
しかして、このような、クッション体と被覆体とを併せ持つ背を構成すれば、上記効果をそれぞれ奏し得る。
被覆体を背本体に装着した状態で、この被覆体の開口部が椅子を構成する座よりも下方に位置するようにしたものであれば、被覆体の着脱のための開口部を目立たないようにし、なおかつ、ワイヤの係り止め部に対する係り止めあるいは係り止め解除を円滑にできる。
【００３１】
係り止め部が、背本体に設けた複数のフック爪であれば、係り止め部を簡単に構成し、なおかつ被覆体を背本体に確実に固定することができる。
ワイヤを、開口部の上縁部に沿って左右に延びるように取付けておけば、被覆体を装着した状態でしわが出にくいようにし、外観を整えることができる。
ワイヤの少なくとも一端部に、係り止め部に対する係合いを解除するための紐状の解除部材を取付けておけば、被覆体の取り外しを容易とすることができる。
【図面の簡単な説明】
【図１】本発明の一実施例における椅子を示す全体斜視図。
【図２】同実施例における椅子の背の組立説明図。
【図３】同実施例における椅子の背の組立説明図。
【図４】同実施例における椅子の背を示す斜視図。
【図５】同実施例における椅子の背本体を示す正面図。
【図６】同実施例におけるワイヤを主と示す模式的拡大図。
【図７】同実施例における椅子の背の概略中央縦断面図。
【符号の説明】
１０…椅子
１…背
２…座
３…背本体
４…クッション体
４１…前面材
４２…後面材
４３…開口部
５…被覆体
５１…開口部
６…ワイヤ
７…フック爪（係り止め部）
５１ａ…上縁
９…解除部材（解除紐）
【図１】
0003718393.tif 000002
【図２】
0003718393.tif 000003
【図３】
0003718393.tif 000004
【図４】
0003718393.tif 000005
【図５】
0003718393.tif 000006
【図６】
0003718393.tif 000007
【図７】
0003718393.tif 000008